(57)【要約】【課題】ボタンダウン等でない普通のシャツの襟を、ネクタイをしない時に美観よく立てて整えることができる襟固定器具を提供する。ボタンダウン等でない普通のシャツは、ネクタイをしない時には襟が横に広がり見た目が整然としていない。このようなボタンダウン等でない普通のシャツの襟に、本発明を装着することにより襟を美観よく立てて整えることができる。特に夏場にはネクタイをしないことが多く、このような場合に本発明が役立つ。【解決手段】任意の素材を用いて、襟挟み部表部材及び襟挟み部裏部材及び連結部材からなる任意の形状の襟挟み部を形成し、襟挟み部裏部材の裏面に針を設け、この針に着脱できる留め具を備えた構造からなる襟固定器具。【選択図】図１
2015158034.tif 000002
【特許請求の範囲】
【請求項１】
任意の素材を用いて、襟挟み部表部材及び襟挟み部裏部材及び連結部材からなる任意の形状の襟挟み部を形成し、襟挟み部裏部材の裏面に針を設け、この針に着脱できる留め具を備えた構造からなる襟固定器具。
【請求項２】
互いに引き合う磁石と磁石又は磁石と磁石に吸引される性質を持つ金属の組み合わせの部材の片方づつを、襟挟み部裏部材の裏面及び留め具の表面に設けた構造からなる請求項１における襟固定器具。
【請求項３】
任意の素材を用いて、襟挟み部表部材及び襟挟み部裏部材及び連結部材からなる任意の
形状の襟挟み部を形成し、襟挟み部裏部材の裏面に任意の形状の突起及び磁石を設け、こ
の突起に契合する窪み及び磁石または磁石に吸引される性質を持つ金属をその表面に設け
た留め具を備えた構造からなる襟固定器具。
【請求項４】
襟挟み部裏部材の表面に小さな鋭い突起を設けた構造からなる請求項１、請求項２及び
請求項３における襟固定器具。
【請求項５】
任意の素材を用いて、襟挟み部表部材及び襟挟み部裏部材及び連結部材からなる任意の形状の襟挟み部を形成し、襟挟み部裏部材にメスネジを設け、その上部にオスネジ及び裏面に針を設けたつまみをねじ込むことができるようにし、この針に着脱できる留め具を備えた構造からなる襟固定器具。
【請求項６】
互いに引き合う磁石と磁石又は磁石と磁石に吸引される性質を持つ金属の組み合わせの部材の片方づつを、つまみの裏面及び留め具の表面に設けた構造からなる請求項５における襟固定器具。
【請求項７】
任意の素材を用いて、襟挟み部表部材及び襟挟み部裏部材及び連結部材からなる任意の
形状の襟挟み部を形成し、襟挟み部裏部材にメスネジを設け、その上部にオスネジ及び裏
面に任意の形状の突起及び磁石を設けたつまみをねじ込むことができるようにし、この突
起に契合する窪み及び磁石または磁石に吸引される性質を持つ金属を設けた留め具を備え
た構造からなる襟固定器具。
【請求項８】
襟挟み部表部材の表面に装飾品を設けた請求項１、請求項２、請求項３、請求項４、請求項５、請求項６及び請求項７における襟固定器具。
【請求項９】
シャツの襟の裏面に、対をなし着脱できる器具の片方を取り付け、シャツ本体にもう片
方の器具を取り付けた構造からなるシャツで、前記器具が面ファスナー又は磁石又は磁石
と磁石に吸引される性質を持つ金属の組み合わせであることを特徴とするもの。
【請求項１０】
任意の形状を有する磁石を、シャツの襟の裏面または襟の内部に取り付け、留め具とし
て任意の形状を有する磁石または磁石に吸引される性質を持つ金属を備え、シャツ本体の
内側から襟の裏面または襟の内部に取り付けた磁石に吸引させるようにした構造のシャツ。
【請求項１１】
任意の形状を有する磁石に吸引される性質を持つ金属を、シャツの襟の裏面または襟の
内部に取り付け、留め具として任意の形状を有する磁石を備え、シャツ本体の内側から
襟の裏面または襟の内部に取り付けた磁石に吸引される性質を持つ金属に吸引させるよう
にした構造のシャツ。
【請求項１２】
任意の素材で製造し、任意の形状を有する基板の両面に、任意の素材で製造し、任意の形状を有する爪を設けた構造からなる襟固定器具。
【請求項１３】
任意の素材で製造し、任意の形状を有する基板の片面に、任意の素材で製造し、任意の形状を有する一つまたはそれ以上の爪を設け、反対側の面に針を設け、この針に装着できる留め具を備えた構造からなる襟固定器具。
【請求項１４】
任意の素材で製造し、任意の形状を有する基板の片面に、任意の素材で製造し、任意の形状を有する一つまたはそれ以上の爪を設け、反対側の面に磁石を設け、この磁石に吸引される磁石または磁石に吸引される性質を持つ金属を設けた留め具を備えた構造からなる襟固定器具。
【請求項１５】
任意の素材で製造し、任意の形状を有する基板の片面に、任意の素材で製造し、任意の形状を有する一つまたはそれ以上の爪を設け、反対側の面に磁石に吸引される性質を持つ金属を設け、磁石を設けた留め具を備えた構造からなる襟固定器具。
【請求項１６】
上面から見た爪の形状が円弧状であることを特徴とした請求項１２、請求項１３、請求項１４及び請求項１５における襟固定器具。
【請求項１７】
上面から見た爪の形状がらせん状であることを特徴とした請求項１２、請求項１３、請求項１４及び請求項１５における襟固定器具。
【請求項１８】
その大きさが３０ｍｍ角以内に収まり、任意の素材で製造し、任意の形状を有する対となり着脱できる器具の、着脱に関与する面の反対側の面に粘着剤を塗布し、その表面に剥離紙を設けた構造からなる襟固定器具。
【請求項１９】
その大きさが３０ｍｍ角以内に収まり、任意の素材で製造し、任意の形状を有する基板の両面に粘着剤を塗布し粘着剤の表面に剥離紙を設けた構造からなる襟固定器具。
【請求項２０】
任意の素材の基布及び感熱接着剤で構成された任意の形状の部材の感熱接着剤の表面に取付け手段により任意の形状の磁石を取付け、留め具として任意の形状の磁石を備えた構造からなる襟固定器具。
【発明の詳細な説明】
【技術分野】
【０００１】
本発明は、ボタンダウン等でない普通のシャツの襟に取り付けることにより、ネクタイをしない時に襟を美観良く立てて整えることができるようにした襟固定器具に関するものである。
【背景技術】
【０００２】
これまでいくつかの襟固定器具が考案されている。
【先行技術文献】
【特許文献】
【０００３】
【特許文献１】特許公開２００８−０６１９８６
【特許文献２】特許公開２００８−１７３４２５
【非特許文献】
【０００４】
【非特許文献１】登録実用新案第３０９２８２５号
【発明の概要】
【発明が解決しようとする課題】
【０００５】
これまで考案されている襟固定器具には、シャツの襟に針を刺して使用するものや襟を上からクリップの形状のようなもので留める構造となっているものなどがある。これらの場合、シャツの襟に針を刺した穴の傷ができるという問題や器具の形状や器具を止める位置が限定される等の問題があった。次に前公知例につき検証する。
特許公開２００８−０６１９８６のものでは、考案されている襟固定器具をシャツの襟に刺して使用するものであるため、シャツの襟に針の穴が開いてこれが傷となる。このためこの襟固定器具を使用しないでネクタイを使用する場合には、襟の表面にできたこの傷が目立つ不具合が生じる。
特許公開２００８−１７３４２５のものでは、襟を上からクリップの形状のようなもので留める構造となっている。このためこの襟固定器具を止める位置は襟の上部に限定される他、襟を上から挟み込む為に器具にある程度の長さを必要とする。これで提案されている襟固定器具では、ボタンダウンのようにシャツの襟の先端に近い位置で使用することには不具合が生じる。
以上のように、これまでに考案されている襟固定器具については、針の穴による傷や器具を使用する位置や形状などでの問題があった。本発明はこれらの問題を解決するものである。
【課題を解決するための手段】
【０００６】
任意の素材を用いて、襟挟み部表部材及び襟挟み部裏部材及び連結部材からなる任意の形状の襟挟み部を形成し、襟挟み部裏部材の裏面に針を設け、この針に着脱できる留め具を備えた構造からなる襟固定器具。
【発明の効果】
【０００７】
本発明により、その襟がボタンダウン等でない普通のシャツに関して、ネクタイをしない時に、シャツの襟を傷つけることなくシャツの襟の先端近くに器具を装着して襟を美観良く立てて整えることができ、クールビズ用のシャツとして快適に着こなせるようにすることが可能となる。更に本発明そのものを貴金属で製造したり、本発明の表面に宝石を装飾したり、その形状を工夫したりすることにより、襟元におしゃれアクセントを付加することもできる。同じシャツでネクタイを使用し、本発明を使用しない時には襟に何らの傷も残らないので外観上不具合は無く、普通のシャツとして着こなすことができる。
【図面の簡単な説明】
【０００８】
【図１】本発明の外観斜視図
【図２】本発明の外観斜視図
【図３】本発明の外観斜視図
【図４】本発明の上面図
【図５】本発明の分解図
【図６】本発明の他の実施例を示す外観斜視図
【図７】図６を別の角度から見た外観斜視図
【図８】本発明の他の実施例を示す外観斜視図
【図９】図８の上面図
【図１０】本発明の他の実施例を示す外観斜視図
【図１１】図１０を別の角度から見た外観斜視図
【図１２】本発明の他の実施例を示す外観斜視図
【図１３】本発明の他の実施例を示す外観斜視図
【図１４】図１３の一部分解図
【図１５】図１３の襟挟み部裏部材を示す図
【図１６】図１３を別の角度から見た外観斜視図
【図１７】本発明の他の実施例を示す外観斜視図
【図１８】図１７を別の角度から見た図
【図１９】本発明の他の実施例を示す外観斜視図
【図２０】図１９のつまみを回した状態を示す図
【図２１】図１９の一部分解図
【図２２】図１９を別の角度から見た図
【図２３】本発明の他の実施例を示す外観斜視図
【図２４】本発明の使用状態を示す図
【図２５】普通のシャツの襟を示す図
【図２６】襟固定にスナップを使用したシャツを示す図
【図２７】襟固定にスナップを使用したシャツを示す図
【図２８】スナップの効果を示す図
【図２９】襟固定に前かんを使用したシャツを示す図
【図３０】襟固定に前かんを使用したシャツを示す図
【図３１】前かんの効果を示す図
【図３２】襟固定に面ファスナーを使用したシャツを示す図
【図３３】襟固定に面ファスナーを使用したシャツを示す図
【図３４】面ファスナーの効果を示す図
【図３５】襟固定に磁石を使用したシャツを示す図
【図３６】襟固定に磁石を使用したシャツを示す図
【図３７】磁石の効果を示す図
【図３８】本発明の試作例を示す図
【図３９】本発明の使用例を示す図
【図４０】本発明の効果を示す図
【図４１】本発明の他の実施例を示す外観斜視図
【図４２】本発明の他の実施例を示す分解図
【図４３】本発明の他の実施例を示す分解図
【図４４】本発明の試作例を示す図
【図４５】本発明未使用時の状態を示す図
【図４６】本発明使用時の状態を示す図
【図４７】連結部材間の角度を示す図
【図４８】本発明の他の実施例を示す外観斜視図
【図４９】本発明の他の実施例を示す外観斜視図
【図５０】本発明の他の実施例を示す外観斜視図
【図５１】図５０の上面図
【図５２】本発明の他の実施例を示す外観斜視図
【図５３】円弧状の爪の先端の状態を示す図
【図５４】本発明の試作例を示す図
【図５５】本発明の他の実施例を示す外観斜視図
【図５６】本発明の他の実施例を示す外観斜視図
【図５７】図５６の上面図
【図５８】本発明の試作例を示す図
【図５９】本発明の他の実施例を示す外観斜視図
【図６０】本発明の使用例を示す図
【図６１】本発明の使用例を示す図
【図６２】本発明の使用例を示す図
【図６３】本発明の効果を示す図
【図６４】本発明の他の実施例を示す外観斜視図
【図６５】図６４を横から見た図
【図６６】本発明の試作例を示す図
【図６７】本発明の使用例を示す図
【図６８】本発明の使用例を示す図
【図６９】本発明の効果を示す図
【発明を実施するための形態】
【０００９】
本発明の襟固定器具は、襟挟み部表部材（１）及び襟挟み部裏部材（２）及び連結部材（３）及び襟挟み部裏部材（２）の裏面に設けられた針（４）及び針（４）に着脱できる留め具（５）とからなっている。襟挟み部表部材（１）と襟挟み部裏部材（２）は、連結部材（３）により連結され、襟挟み部（６）が形成される。襟挟み部表部材（１）と襟挟み部裏部材（２）の間には隙間（７）があり、ここにシャツの襟（２０）を挟むことができる。連結部材（３）には、柔軟性があり、襟挟み部表部材（１）と襟挟み部裏部材（２）の間は手で簡単に開くことができ、この隙間（７）にシャツの襟（２０）を挟むことができる。襟挟み部裏部材（２）の裏面に設けられた針（４）には、留め具（５）を着脱することができる。本発明は以上の構造からなる。
【実施例１】
【００１０】
図１は、本発明の外観斜視図である。襟挟み部表部材（１）と襟挟み部裏部材（２）は、連結部材（３）によって連結され、襟挟み部（６）が形成される。これらは任意の素材で製造することが可能である。襟挟み部表部材（１）と襟挟み部裏部材（２）は、接着剤、融着、溶接、鋳造、等の連結手段によって連結部材（３）により連結される。襟挟み部表部材（１）と襟挟み部裏部材（２）は連結手段によって連結部材（３）により連結されるが、鋳造等によりこれらを一体加工しても良い。襟挟み部表部材（１）及び襟挟み部裏部材（２）及び連結部材（３）及び針（４）を含めた形状を鋳造等により一体加工することもできる。襟挟み部表部材（１）、襟挟み部裏部材（２）及び連結部材（３）は、任意の形状が可能である。襟挟み部裏部材（２）の裏面には、針（４）が設けられている。針（４）には、留め具（５）を着脱することができるようになっており、留め具（５）には、針（４）が挿入される穴（８）が設けられている。襟挟み部裏部材（２）の裏面には、襟挟み部裏部材に装着した磁石（９）が、また、留め具（５）の表面には、留め具に装着した磁石（１０）が設けられており、磁力によって留め具（５）は襟挟み部裏部材（２）に吸引され密着する。図３は、下斜め方向から見た図を示しているが、襟挟み部裏部材（２）の裏面に襟挟み部裏部材に装着した磁石（９）が設けられていることが分かる。襟挟み部表部材（１）と襟挟み部裏部材（２）の間には、隙間（７）があり、この隙間（７）にシャツの襟（２０）を挟むことができる。図２は、横方向から見た図を示しているが、襟挟み部表部材（１）と襟挟み部裏部材（２）の間に隙間（７）があることが分かる。連結部材（３）には柔軟性があり、襟挟み部表部材（１）と襟挟み部裏部材（２）の間は、手で簡単に開くことができる。図４は、本発明を上から見た図を示しているが、襟挟み部裏部材（２）の形状が襟挟み部表部材（１）より先端部分で若干大きくなっていることが分かる。これは隙間（７）に、シャツの襟（２０）を挟む時に、容易く挟めるように工夫したものであるが、襟挟み部表部材（１）と襟挟み部裏部材（２）は、同じ大きさでも問題は無い。襟挟み部表部材（１）の表面には、宝石等の装飾品（１１）を設けることができる。本発明を使用する時には、隙間（７）にシャツの襟（２０）を挟み、針（４）をシャツ本体（２１）に表から刺して、シャツ本体（２１）の内側から留め具（５）を針（４）に装着する。これでボタンダウン等でない普通のシャツの襟（２０）を、ネクタイをしない時に、美観よく立てて整えることができ、クールビズ用のシャツとして快適に着こなせるようにすることが可能となる。針（４）に留め具（５）を装着して固定する方法は、磁石を用いる他、タイタック式の留め具やバタフライ型の留め具等を利用する方法、板バネを利用して作った留め具を使用する方法等、他の留め具を用いた装着方法でも可能である。この方法は針（４）を設けた他の実施例でも同様である。磁石を使用する方法は使用方法が簡単で利便性がある。この実施例では、襟挟み部裏部材に装着した磁石（９）と留め具に装着した磁石（１０）は、磁力で共に引き合うが、片方のみが磁石で、もう片方が磁石に吸引される性質を持つ鉄などの金属でも良い。これは他の実施例でも同様である。本発明の部材は、様々な素材で造ることができる。金属やプラスチック、木材などでも可能である。本発明を貴金属で製造した場合には、本発明そのものが襟固定器具の機能を有した価値ある装飾品となる。襟挟み部表部材（１）の表面に設ける任意の形状の装飾品（１１）に、ダイヤモンドやオパール、エメラルド、真珠、ガラス装飾品、その他の宝石類などを使用すれば、シャツの襟（２０）を美観良く立てて整然とシャツを着こなせる他、襟元におしゃれアクセントを付与することができる。本発明は、シャツの襟（２０）に穴を開けること無く使用でき、ボタンダウン等でない普通のシャツを、ネクタイをしない時に、襟（２０）を美観良く立てて整えることができ、本発明を使用しないでネクタイをする時には、襟（２０）に何らの傷も残らないので、問題なくシャツを着こなせる。図５は、本発明の分解図を示している。襟挟み部表部材（１）と襟挟み部裏部材（２）が、連結部材（３）によって連結され、襟挟み部裏部材（２）の裏面に、針（４）及び襟挟み部裏部材に装着した磁石（９）が設けられ、留め具（５）の表面に留め具に装着した磁石（１０）が設けられ、これらの中心に穴（８）が設けられ、襟挟み部表部材（１）の表面に、装飾品（１１）が設けられている。本発明を使用することにより、ボタンダウン等でないワイシャツ等でネクタイをしない時にシャツを快適に着こなせる他、襟元におしゃれアクセントを付与することができる。襟挟み部裏部材（２）の表面に小さな鋭い突起（３３）を１個または１個以上設け、本発明を襟（２０）に挟んだ時にこの小さな鋭い突起（３３）を襟（２０）の裏面に突き刺して本発明を動かないように襟（２０）に固定することもできる。この小さな鋭い突起（３３）は襟（２０）の裏面に作用するので、襟（２０）の表面には何らの変化もなく問題はない。この小さな鋭い突起（３３）を襟挟み部裏部材（２）の表面に設けた例を図４９に示した。この場合は小さな鋭い突起（３３）を襟挟み部裏部材（２）の表面に二つ設けた例を示している。ただ本発明には大きな力が加わる訳ではないので、この小さな鋭い突起（３３）は設けなくても使用に問題は無い。この小さな鋭い突起（３３）は、表面が平らな襟挟み部裏部材（２）を有する他の実施例にも応用できる。本発明は様々な方法で製造が可能であるが、ロストワックス法を用いた鋳造法で留め具（５）を除く本体を銀（Ｓｌｉｖｅｒ９２５）で試作した例を図４４に示した。この例では留め具（５）はバタフライ型を使用している。図４４では本発明の大きさを比較するために１円玉を一緒に示している。この場合は鋳造法で留め具（５）を除く本体全体を銀（Ｓｌｉｖｅｒ９２５）で製造しているので、装飾品（１１）の部分も銀（Ｓｌｉｖｅｒ９２５）となっている。図４５及び図４６には、本発明を使用していない場合及び本発明を使用した場合の状態を示しているが、本発明を使用した場合、シャツの襟（２０）が美観よく立ち、実に整然としていることが分かる。更に貴金属の銀が襟元でおしゃれを演出する。連結部材（３）を二つ設ける場合は、上面から見た場合、これら二つの連結部材（３）がそれぞれ襟挟み部表部材（１）の中心から放射状に伸びる線上にあり、これら二つの連結部材（３）の角度が、４０度から９０度程度の間に収まることが望ましく、７０〜７５度程度がより望ましい。これは、本発明を襟（２０）に挟む場合、その厚さが厚い場合、襟挟み部表部材（１）と襟挟み部裏部材（２）を押し広げて隙間（７）を広くする必要があるが、この作業を容易くするためと、本発明をシャツの襟（２０）の先端部の適切な位置に固定できるためである。試作品でのこの角度を示す図を図４７に示した。なを、本発明は意匠または錆発生防止などの目的から、塗装やメッキなどを施すことも可能であり、これは他の全ての実施例についても同様である。
【実施例２】
【００１１】
図６は、本発明の他の実施例を示す外観斜視図を示している。実施例１の場合には、襟挟み部裏部材（２）の裏面に針（４）が設けられているが、この場合には、任意の形状の突起（１２）が設けられており、留め具（５）の表面には、この突起（１２）が契合できる窪み（１３）が設けられている。図７は、図６を別の角度から見た外観斜視図を示しており、留め具（５）の表面に窪み（１３）が設けられていることが分かる。この実施例の場合の使用方法は、隙間（７）にシャツの襟（２０）を挟み、シャツ本体（２１）の内側から留め具（５）の窪み（１３）を襟挟み部裏部材（２）の裏面に設けられた突起（１２）に契合させる。これらは、襟挟み部裏部材に装着した磁石（９）と留め具に装着した磁石（１０）により、磁力で引き合い契合する。この実施例の場合には、針（４）を使用しないので、シャツ本体（２１）に穴が開くことは無い。なを、襟挟み部裏部材に装着した磁石（９）と留め具に装着した磁石（１０）は、共に磁石であるが、どちらか一方が、磁石に吸引される性質を持つ鉄などの金属でも良い。ネオジウム磁石を用いると小型でも強い磁力が得られる。これは他の実施例の場合でも同様である。この襟挟み部裏部材（２）の裏面の突起（１２）及び留め具（５）の窪み（１３）は互いに契合することにより本発明をシャツ本体（２１）に動かないように固定することに役立つ。なを、襟挟み部裏部材（２）の裏面に窪み（１３）を設け、留め具（５）に突起（１２）を設けることでも良い。
【実施例３】
【００１２】
図８は、連結部材（３）が一つの場合の例を示している。実施例１では、この連結部材（３）が２つの場合を示しているが、これは一つでも機能的には問題が無い。実施例３は、連結部材（３）が一つであることを除くと、実施例１と同じである。図９は、図８を上から見たところを示している。これを用いることでボタンダウン等でないワイシャツ等でネクタイをしない時にシャツを快適に着こなせる他、襟元におしゃれアクセントを付与することができる。襟挟み部表部材（１）と襟挟み部裏部材（２）は連結手段によって連結部材（３）により連結されているが、金属板などから一体加工して製造したり、プラスチックの射出成形などによって製造したり、ロストワックス法を用いた鋳造法等により製造することも可能である。
【実施例４】
【００１３】
図１０は、襟挟み部表部材（１）の形状を世界遺産に登録された富士山の形状で造った例を示している。襟挟み部表部材（１）の形状は様々なもので造ることができる。例えば、富士山のような山、キャラクターの人形、ローマ字などの文字、ロゴ、動物、乗り物、音符などの造形物でも可能である。図１１は、図１０を別の角度から見た外観斜視図を示している。この例では、襟挟み部裏部材（２）の裏面に針（４）が設けられているが、この場合にも実施例２のように、襟挟み部裏部材（２）の裏面に突起（１２）を設けて、これに対応した留め具（５）を使用しても良い。襟挟み部表部材（１）を様々な形状や素材で造ることにより、襟固定器具の機能を利用すると共に、いろいろなおしゃれを楽しむことも可能となる。
【実施例５】
【００１４】
図１２は、実施例１の襟挟み部裏部材（２）の表面にゆるやかな突起（１４）を設けた例を示している。こうすることでシャツの襟（２０）をこのゆるやかな突起（１４）で押さえることができる。ゆるやかな突起（１４）は、襟挟み部表部材（１）の裏面に設けても良く、また、襟挟み部表部材（１）の裏面及び襟挟み部裏部材（２）の表面のどちらにも設けても良い。このゆるやかな突起（１４）を設けることは、他の実施例の場合でも応用できる。
【実施例６】
【００１５】
図１３は、実施例１の襟挟み部裏部材（２）に、図１５で示されているようにメスネジ（１７）を設け、これに図１４で、示されるように、オスネジ（１５）、つまみ（１６）、針（４）が一体となった部材を、このメスネジ（１７）に、ねじ込むことができるように工夫した構造を示すものである。この実施例では、つまみをねじ込むことにより、オスネジ（１５）が上に進みオスネジ（１５）の先端でシャツの襟（２０）を挟み込むことができるようになっている。図１６は、図１３を別の角度から見た外観斜視図を示しており、つまみに装着した磁石（１８）により磁力によって引き合い、留め具（５）と連結する構造となっていることが分かる。
【実施例７】
【００１６】
図１７は、実施例２の襟挟み部裏部材（２）の表面にゆるやかな突起（１４）を設けた例を示している。ゆるやかな突起（１４）は、襟挟み部表部材（１）の裏面に設けても良く、また、襟挟み部表部材（１）の裏面及び襟挟み部裏部材（２）の表面のどちらにも設けても良い。図１８は、図１７を別の角度から見た図を示している。
【実施例８】
【００１７】
図１９は、実施例２の襟挟み部裏部材（２）にメスネジ（１７）を設け、図２１で、示されるように、オスネジ（１５）、つまみ（１６）、突起（１２）が一体となった部材を、メスネジ（１７）に、ねじ込むことができるように工夫した構造を示すものである。図２０は、図１９に比べて、オスネジ（１５）、つまみ（１６）、突起（１２）が一体となった部材を回して更に上に押し出した状態を示している。つまみをねじ込むことにより、オスネジ（１５）が上に進みオスネジ（１５）の先端でシャツの襟（２０）を挟み込むことができるようになっている。シャツの襟（２０）を挟み込むことにより、本発明が襟（２０）の上でずれることを防ぐことができる。図２２は、図１９を別の角度から見た図を示しており、つまみに装着した磁石（１８）により磁力によって引き合い、突起（１２）が留め具（５）の表面に設けられた窪み（１３）に契合して、留め具（５）と連結する構造となっている。
【実施例９】
【００１８】
図２３は、襟挟み部裏部材（２）の裏面に、任意の素材で製造し、任意の形状を有する爪（１９）を設け、この爪（１９）をシャツ本体（２１）の表面に、引っ掛けて本発明を固定する構造となっている。図２４は、これまで述べた実施例の使用例を示している。本発明を使用することにより、ボタンダウン等でない普通のワイシャツ等で、ネクタイをしない時に、シャツの襟（２０）を美観良く立てて、整えることができ、クールビズ用のシャツとして快適に着こなすことが可能となる他、襟元でのおしゃれを演出することが可能となる。
【実施例１０】
【００１９】
シャツの襟（２０）を美観良く立てて整える方法は、今まで述べた本発明を使用する他、次のような方法でも可能である。すなわち、図２５で示されるシャツの襟（２０）の裏面に、対をなし着脱できる器具の片方を取り付け、もう片方をシャツ本体（２１）の表面に取り付ける。これにより、ボタンダウンでない普通のシャツの襟（２０）を美観良く立てて整えることができる。この方法は、ボタンダウンのように、襟（２０）にボタンを通す切り込みを設ける必要はなく、見た目には、普通のシャツの襟と全く変わらない。これに使用する器具としては、スナップ（ホックとも言う）、前かん、面ファスナー、磁石、その他、金属板で加工したもの、プラスチックで成型したもの、等、対をなして着脱可能な器具であれば何でも利用でき、種々の器具を使って工夫したシャツそのものが発明となる。
図２６は、図２５で示される普通のシャツの襟（２０）の裏面にスナップ（２２）の片方を取り付け、もう片方をシャツ本体（２１）に取り付けた例を示している。スナップは、ホックとも言われる。スナップ（２２）には、オスとメスがあるが、シャツの襟（２０）の裏面とシャツ本体（２１）に、どちらを付けるかは任意である。図２７は、シャツの襟（２０）の片方が上に折り曲げられて、その裏面にスナップ（２２）の片方が取り付けられていることが分かる。この実施例では、シャツの襟（２０）の裏面には、スナップ（２２）のオスが、シャツ本体（２１）には、メスが取り付けられている。図２８は、シャツの襟（２０）の裏面に取り付けられたスナップ（２２）とシャツ本体（２１）に取り付けられたスナップ（２２）を結合した状態を示している。これを見ると、図２５と比してシャツの襟（２０）が美観よく立ち、実に整然としていることが良く分かる。見た目には、スナップ（２２）も見えず、普通のシャツであるが、実に整然と美観良く見える。この対となり着脱できる器具を取り付けたシャツの構造の発明は、襟を美観良く立てて、整然と見せるという点で、その主な目的は、前記した襟固定器具の本発明と同じである。このスナップ（２２）を使用したシャツはスナップダウンとして以前より知られている。
【実施例１１】
【００２０】
図２９は、シャツに取り付ける器具として、前かん（２３）を利用した例を示している。図３０は、シャツの襟（２０）の片方が上に折り曲げられて、その裏面に前かん（２３）の片方が取り付けられていることが分かる。図３１は、前かん（２３）を結合した例を示している。この前かん（２３）の場合は、一部が見えるものの、やはり、シャツの襟（２０）が実に美観良く立ち整然としていることが分かる。
【実施例１２】
【００２１】
図３２は、シャツに取り付ける器具として、面ファスナー（２４）を利用した例を示している。図３３は、シャツの襟（２０）の片方が上に折り曲げられて、その裏面に面ファスナー（２４）の片方が取り付けられていることが分かる。図３４は、面ファスナー（２４）を結合した例を示している。これを見るとシャツの襟（２０）が美観よく立ち、実に整然としていることが良く分かる。見た目には、面ファスナー（２４）も見えず、普通のシャツであるが、実に整然と美観良く見えることが分かる。面ファスナーを用いた場合は、襟（２０）を固定するのが容易になるという特徴がある他、襟（２０）を固定する部分を帯状にするなどの設計も可能となるなどの特徴がある。取り付ける面ファスナー（２４）の形状は任意で良い。
【実施例１３】
【００２２】
図３５は、シャツに取り付ける器具として、磁石（２５）及び鉄板（２６）を利用した例を示している。この例の場合は、シャツの襟（２０）の裏面に、磁石（２５）を取り付け、シャツ本体（２１）の表面に円形の鉄板（２６）を取り付けているが、これらは逆でも良い。両方が引き合う磁石（２５）でも良いが、そもそも大きな力は必要が無いので、片方が磁石（２５）で、もう片方が鉄など、磁石に吸引される性質を持つ金属でも十分である。図３６は、シャツの襟（２０）の片方が上に折り曲げられて、その裏側に磁石（２５）が取り付けられていることが分かる。図３７は、磁石（２５）と鉄板（２６）を結合した例を示している。これを見るとシャツの襟（２０）が美観よく立ち、実に整然としていることが良く分かる。見た目には、磁石（２５）も鉄板（２６）も見えず、普通のシャツであるが、実に整然と美観良く見えることが分かる。磁石（２５）を用いた場合は、襟（２０）を固定するのが容易になるという特徴がある。取り付ける磁石（２５）または鉄板（２６）の形状は任意で良い。磁石（２５）を使用する場合、任意の形状を有する磁石（２５）をシャツの襟（２０）の裏面または襟（２０）の内部に、接着剤、縫製などの取り付け手段により取り付け、留め具（５）として任意の形状を有する磁石または磁石に吸引される性質を持つ金属を備え、シャツ本体（２１）の内側からシャツの襟（２０）の裏面または襟（２０）の内部に取り付けた磁石（２５）に吸引させるようにした構造のシャツも可能である。この構造のシャツの場合は、留め具（５）として用いる磁石または磁石に吸引される性質を持つ金属は、シャツ本体（２１）に取り付けるものでは無く、シャツ本体（２１）の内側からシャツの襟（２１）の裏面または襟（２０）の内部に取り付けた磁石（２５）に吸引させるようにしてシャツの襟（２０）を固定するものである。この構造のシャツの場合は、スナップダウンのシャツのようにシャツ本体（２１）の表面に着脱できる器具の片方を取り付ける必要がないので、見た目には普通のシャツと何ら変わるところが無く、特に磁石（２５）をシャツの襟（２０）の内部に組み入れた場合には、シャツの襟（２０）の裏面を見ても何ら普通のシャツと変わるところが無い。磁石（２５）を吸引力の強いネオジウム磁石にすると小型で薄くでき、シャツの襟（２０）の内部に磁石（２５）を組み入れた構造のシャツでは見た目には普通のシャツと全く変わらないものを製造することが可能となる。シャツの襟（２０）の裏面または襟（２０）の内部に取り付ける磁石（２５）の形状は任意で円形やシャツの襟（２０）の形状に合わせた三角形等でも良い。このシャツの場合、ネクタイをする時には普通のシャツとして着こなすことができ、クールビズでネクタイをしない時には、襟（２０）を美観良く立て、快適に着こなすことができる。シャツの襟（２０）の裏面または襟（２０）の内部に取り付けるものを任意の形状を有する磁石に吸引される性質を持つ金属とし、シャツ本体（２１）の内側から留め具（５）として留めるものを任意の形状を有する磁石としても良い。なを、シャツの襟（２０）の裏面または襟（２０）の内部に取り付ける磁石（２５）や磁石に吸引される性質を持つ金属は、シャツを洗濯した場合に錆が発生することを防ぐ目的で塗装やメッキを施したり、樹脂に封入したりすることが望ましい。磁石（２５）をシャツの襟（２０）の内部に取り付けた試作例を図３８に示した。図３８にはシャツの襟（２０）の内部に磁石（２５）が取り付けられている状態が示されている。シャツ本体（２１）には器具は何も取り付けられてはいない。この構造のシャツを使用する場合には、図３９で示されているようにシャツ本体（２１）の内側から磁石を留め具（５）として使用する。この留め具（５）は磁石に吸引される性質を持つ金属でも良い。図４０にはこの構造のシャツを使用した場合の効果が示されている。図４０にはこの構造のシャツを実際に人が着ている状態が示されているが、シャツの襟（２０）が横に広がることが無く、美観良く立ち、実に整然としていることが分かる。この構造のシャツの場合、見た目には普通のシャツと何ら変わるところが無い。ボタンダウンのシャツのようにボタンは無く、またスナップダウンのシャツのようにシャツ本体（２１）にスナップの片方が取り付けられていることも無い。この襟（２０）の裏面または襟（２０）の内部に磁石（２５）を取り付け手段によって取り付け、留め具（５）として磁石又は磁石に吸引される性質を持つ金属を備えた構造のシャツは、製造も簡単でありネクタイをしない時にクールビズ用のシャツとして快適に着こなすことができるため有用性が高いものと思われる。なを、シャツの内側から留め具（５）として使用する磁石または磁石に吸引される性質を持つ金属は、シャツに取り付けられている訳ではないので、必要な時に用意して使用すればよいのであるが、シャツ本体（２１）の内側や、シャツの首周りの内側にその先端を取り付けた適切な長さの布などの先に取り付けてもよい。
【実施例１４】
【００２３】
図４１は、任意の素材で製造し、任意の形状を有する基板（２７）の両面に、任意の素材で製造し、任意の形状を有する爪（１９）が設けられている器具を示している。一方の面には、爪（１９）が二つ、もう片方の面には、爪（１９）が一つ、設けられている。
この実施例は、任意の素材と形状を有する基板（２７）の両面に、爪（１９）を設けた構造からなる襟固定器具で、爪（１９）の片方を、襟（２０）の裏面に引っ掛け、反対面のもう片方の爪（１９）をシャツ本体（２１）の表面に引っ掛けることで、シャツの襟（２０）を固定することができる。なを、爪（１９）は、複数個設けても良い。基板（２７）の片面に、爪（１９）を設け、もう片面に粘着剤（３０）を塗布し、その表面に剥離紙（３１）を設けた構造も可能である。また、任意の素材で製造し、任意の形状を有する基板（２７）の片面に、任意の素材で製造し、任意の形状を有する一つまたはそれ以上の爪（１９）を設け、反対側の面に針（４）及び基板に装着した磁石（３２）を設け、この針（４）に装着できる実施例１と同じ留め具（５）を備えた構造からなる襟固定器具も可能である。磁石を用いずタイタニック式の留め具やバタフライ型の留め具等も使用できるのは実施例１の場合と同様である。また、任意の素材で製造し、任意の形状を有する基板（２７）の片面に、任意の素材で製造し、任意の形状を有する一つまたはそれ以上の爪（１９）を設け、反対側の面に磁石を設け、この磁石に吸引される磁石または磁石に吸引される性質を持つ金属を設けた留め具を備えた構造からなる襟固定器具も可能である。また、任意の素材で製造し、任意の形状を有する基板（２７）の片面に、任意の素材で製造し、任意の形状を有する一つまたはそれ以上の爪（１９）を設け、反対側の面に磁石に吸引される性質を持つ金属を設け、磁石を設けた留め具を備えた構造からなる襟固定器具も可能である。これらの実施例の一つを図４８に示した。この場合の使用方法は次のようになる。すなわち、シャツの襟（２０）の裏面の適切な部分に、爪（１９）を引っ掛け、針（４）をシャツ本体（２１）に表側から刺し、シャツ本体（２１）の内側から針（４）に留め具（５）を装着する。これでシャツの襟（２０）を美観良く固定できる。外観では本発明は目立たず、ネクタイをしない時にシャツの襟（２０）が美観良く立ち、整然と見える。本発明の爪（１９）はシャツの襟（２０）の裏側に引っ掛けるので、襟（２０）の表面には何らの変化もなく美観を保てる。また、図５０は、任意の素材で製造し、任意の形状を有する基板（２７）の片面に円弧状の爪（１９）が２個設けられた例を示している。そしてもう片方の面には、針（４）及び基板に装着した磁石（３２）を設け、この針（４）に装着できる実施例１と同じ留め具（５）を備えている。磁石を用いずタイタニック式の留め具やバタフライ型の留め具等も使用できるのは実施例１の場合と同様である。図５１は、図５０を上面から見た図を示しているが、爪（１９）の形状が円弧状をしていることが分かる。この実施例の使用方法は次のようになる。まず、図５０で示される本発明をシャツの襟（２０）の裏面に押し当てて右回りに回転させて、円弧状の爪（１９）を襟（２０）の裏面に突き刺して固定する。その後、針（４）をシャツ本体（２１）に刺して内側から留め具（５）を針（４）に装着する。襟（２０）の裏面に取り付けた本発明は、左に回転させないと外れないため、本発明を使用中にこれが自然に外れて取れることはない。円弧状の爪（１９）の先端は、図５３で示されるように襟（２０）の裏面に突き刺しやすいようにその向きが若干上向きに設けられている。図５０で示される円弧状の爪（１９）は、右回りに回転させて襟（２０）の裏面に突き刺すものであるが、これは図５２のように逆回りでも良く、この場合には左に回転させて円弧状の爪（１９）の先端を襟（２０）の裏面に突き刺して使用する。円弧状の爪（１９）を持つ本発明をロストワックス法を用いた鋳造法で留め具（５）を除く本体を銀（Ｓｌｉｖｅｒ９２５）で試作した例を図５４に示した。この例では留め具（５）はバタフライ型を使用している。鋳造でなく、円弧状の爪や針を樹脂の基板に埋め込むなど他の方法で製造しても良い。図５４では本発明の大きさを比較するために１円玉を一緒に示している。図５５は、基板（２７）の片面に円弧状の爪（１９）を設け、もう片面に基板に装着した磁石（３２）を設け、磁石の留め具（５）を使用した実施例を示している。この実施例の使用方法は、本発明を右回りに回転させて襟（２０）の裏面に円弧状の爪（１９）を突き刺して固定し、シャツ本体（２１）の内側から磁石の留め具（５）を基板に装着した磁石（３２）に吸引させて襟（２０）を固定する。図５６は、基盤（２７）の片面にらせん状の爪（１９）を設け、もう片方の面には、針（４）及び基板に装着した磁石（３２）を設け、この針（４）に装着できる実施例１と同じ留め具（５）を備えた例を示している。磁石を用いずタイタニック式の留め具やバタフライ型の留め具等も使用できるのは実施例１の場合と同様である。図５７は、図５６を上からみた図を示しており基板（２７）にらせん状の爪（１９）が設けられていることが分かる。この実施例の使い方は、シャツの襟（２０）の裏面に本発明を右に回してらせん状の爪（１９）をその根元まで突き刺して固定し、針（４）をシャツ本体（２１）に表から突き刺し、シャツ本体（２１）の内側から針（４）に留め具（５）を装着する。このらせん状の形状は逆回りであっても良く、この場合には本発明を左に回してらせん状の爪（１９）を襟（２０）の裏面に突き刺して使用する。らせん状の爪（１９）を持つ本発明をロストワックス法を用いた鋳造法で留め具（５）を除く本体を銀（Ｓｌｉｖｅｒ９２５）で試作した例を図５８に示した。この例では留め具（５）はバタフライ型を使用している。鋳造でなく、らせん状の爪や針を樹脂の基板に埋め込むなど他の方法で製造しても良い。図５８では本発明の大きさを比較するために１円玉を一緒に示している。図５９は、基板（２７）の片面にらせん状の爪（１９）を設け、もう片面に基板に装着した磁石（３２）を設け、磁石を留め具（５）として使用した実施例を示している。このらせん状の爪（１９）を持った本発明の使い方を図６０から図６３で示した。図６０は、らせん状の爪（１９）の先端をシャツの襟（２０）の裏面に突き刺した状態を示している。このらせん状の爪（１９）の先端をシャツの襟（２０）の裏面に突き刺し、右に回して回らなくなるまで、すなわち、このらせん状の爪（１９）の根元まで襟（２０）の裏面に突き刺して図６１のように固定する。次に針（４）をシャツ本体（２１）の表から突き刺して、図６２のようにシャツ本体（２１）の内側から留め具（５）をこの針（４）に装着する。図６３は本発明を人が実際に使用した状態を示しているが、シャツの襟（２０）が横にだらりと広がらずに、美観良く立ち、実に整然としていることが分かる。本発明はボタンダウンやスナップダウンでない普通のシャツに簡単に使用でき、ネクタイを使用しない時にシャツの襟（２０）を美観良く立てて、クールビズ用のシャツとして着こなすことができるため有用性がある。右に回してシャツの襟（２０）の裏面に取り付けた本発明は左に回転さないと外れない為、本発明を使用中にこれが自然に外れて取れることはない。シャツの襟（２０）の裏面には基布があるため、細いらせん状の爪（１９）は容易くその根元まで突き刺すことができる。シャツの襟（２０）の表面をなんら傷つけることはない。
【実施例１５】
【００２４】
図４２は、対となり着脱できる任意の形状の面ファスナーのオス（２８）と面ファスナーのメス（２９）の着脱に関与する面の裏面に、粘着剤（３０）を塗布し、その表面に剥離紙（３１）を設けた構造からなる襟固定器具を示している。この実施例では、面ファスナーのオス（２８）又は面ファスナーのメス（２９）の一方をシャツの襟（２０）の裏面に貼り付け、もう片方をシャツ本体（２１）の表面に貼り付けて使用する。これで、面ファスナーのオス（２８）と面ファスナーのメス（２９）を結合すると、シャツの襟（２１）が美観よく立ち、整然と見える。この実施例では、粘着剤で貼り付ける方法であるが、一定時間であれば、この方法でも実用できる。長い時間が経つと、面ファスナーのオス（２８）及び面ファスナーのメス（２９）は、剥がれ易くなるので、襟固定器具としての機能は無くなる。布に付く粘着剤の粘着性を強くすれば、使用時間は長くなるが、あくまで、一時的な使用でのみ実用性がある。なを、粘着剤が布に転移するようなものは、シャツが汚れるので不適である。対をなし着脱できる器具であれば、他のものでも利用できる。任意の素材で製造し、任意の形状を有する対をなし、着脱できる器具の着脱に関する面の裏側に、粘着剤（３０）を塗布し、粘着剤（３０）の表面に、剥離紙（３１）を設けた構造からなる襟固定器具である。その大きさは、５ｍｍから１０ｍｍ角以内が適当で３０ｍｍ角以内に収まるのが良いだろう。なを、この実施例での本発明は、剥離紙（３１）を&#21085;がして使用するため、その大きさは&#21085;がし易くするために、面ファスナーのオス（２８）及び面ファスナーのメス（２９）の形状より若干大きい方が望ましい。
【実施例１６】
【００２５】
図４３は、任意の素材で製造し、任意の形状を有する基板（２７）の両面に粘着剤（３０）を塗布し、粘着剤（３０）の表面に、剥離紙（３１）を設けた構造からなる襟固定器具である。これを使用してシャツの襟（２０）とシャツ本体（２１）を結合すれば、シャツの襟（２０）を美観良く立て、整然と見せることが可能となる。ただ、粘着剤（３０）を使用するので、あくまで、限られた時間での使用に留まり、時間が経つと粘着力が弱くなる。この場合も、粘着剤が布に転移するようなものは、シャツが汚れるので不適である。この大きさも、５ｍｍから１０ｍｍ角以内が適当で、３０ｍｍ角以内に収まるのが良いだろう。なを、この実施例での本発明は、剥離紙（３１）を&#21085;がして使用するため、その大きさは&#21085;がし易くするために、基板（２７）の形状より若干大きい方が望ましい。
【実施例１７】
【００２６】
図６４及び図６５は、任意の素材の基布（３４）及び感熱接着剤（３５）で構成された任意の形状の部材の感熱接着剤（３５）の表面に接着剤（３６）、両面テープ等の取付け手段により任意の形状の磁石（２５）を取付け、留め具（５）としての任意の形状の磁石を備えた構造からなる襟固定器具を示している。基布（３４）の素材は任意であるが綿等がある。感熱接着剤（３５）の素材は任意であるがナイロン系接着樹脂等がある。この使い方は、シャツの襟（２０）の裏面に本発明の感熱接着剤（３５）の面を押し当て、アイロン等で基布の表面から熱圧着して磁石（２５）を取り付け、シャツ本体（２１）の内側から留め具（５）として磁石を使用する方法である。アイロン等でシャツの襟（２０）の裏面に熱圧着した磁石（２５）は、洗濯等でも取れないので、襟固定器具として使用することができる。この場合も、留め具（５）として使用する磁石の代わりに磁石に吸引される性質を持つ金属を使用してもよい。また、アイロン等で熱圧着してシャツの襟（２０）の裏面に取り付けるものを磁石に吸引される性質を持つ金属とし、磁石を留め具（５）としてもよい。感熱接着剤（３５）の表面に磁石（２５）を動かないように取付けるのはアイロン等で磁石（２５）をシャツの襟（２０）の裏面に熱圧着する場合に取り付けやすくするためであるが、取付けなくても作業はしにくいが襟（２０）の裏面に熱圧着することはできる。しかし、磁石（２５）は動かないように感熱接着剤（３５）の表面に固定する方が作業がしやすいので望ましい。本発明を試作した例を図６６に示した。基布（３４）と感熱接着剤（３５）で構成された部材の感熱接着剤（３５）の表面に磁石（２５）が接着されて固定されている。この場合の基布（３４）は綿で感熱接着剤（３５）の裏側に配置されている。本発明の大きさを比較するために１円玉を一緒に示した。図６７には本発明を使用した例を示している。シャツの襟（２０）の裏面に本発明が熱圧着されて取り付けられていることが分かる。アイロン等により感熱接着剤（３５）で熱圧着された本発明は、洗濯等でも取れることがない。図６８は、シャツの本体（２１）の内側から留め具（５）としての磁石を使いシャツの襟（２０）を固定している状態を示している。図６９は本発明を人が実際に使用した状態を示しているが、シャツの襟（２０）が横にだらりと広がらずに、美観良く立ち、実に整然としていることが分かる。本発明によりアイロン等を使用してボタンダウンやスナップダウンでない普通のシャツを簡単にクールビズに最適なシャツに変更することができる。
【産業上の利用可能性】
【００２７】
本発明は、工業的に量産することが可能であるため、産業上の利用可能性を有する。
【符号の説明】
【００２８】
１    襟挟み部表部材
２    襟挟み部裏部材
３    連結部材
４    針
５    留め具
６    襟挟み部
７    隙間
８    穴
９    襟挟み部裏部材に装着した磁石
１０  留め具に装着した磁石
１１  装飾品
１２  突起
１３  窪み
１４  ゆるやかな突起
１５  オスネジ
１６  つまみ
１７  メスネジ
１８  つまみに装着した磁石
１９  爪
２０  襟
２１  シャツ本体
２２  スナップ
２３  前かん
２４  面ファスナー
２５  磁石
２６  鉄板
２７  基板
２８  面ファスナーのオス
２９  面ファスナーのメス
３０  粘着剤
３１  剥離紙
３２  基板に装着した磁石
３３  小さな鋭い突起
３４  基布
３５  感熱接着剤
３６  接着剤
【図１】
2015158034.tif 000003
【図２】
2015158034.tif 000004
【図３】
2015158034.tif 000005
【図４】
2015158034.tif 000006
【図５】
2015158034.tif 000007
【図６】
2015158034.tif 000008
【図７】
2015158034.tif 000009
【図８】
2015158034.tif 000010
【図９】
2015158034.tif 000011
【図１０】
2015158034.tif 000012
【図１１】
2015158034.tif 000013
【図１２】
2015158034.tif 000014
【図１３】
2015158034.tif 000015
【図１４】
2015158034.tif 000016
【図１５】
2015158034.tif 000017
【図１６】
2015158034.tif 000018
【図１７】
2015158034.tif 000019
【図１８】
2015158034.tif 000020
【図１９】
2015158034.tif 000021
【図２０】
2015158034.tif 000022
【図２１】
2015158034.tif 000023
【図２２】
2015158034.tif 000024
【図２３】
2015158034.tif 000025
【図２４】
2015158034.tif 000026
【図２５】
2015158034.tif 000027
【図２６】
2015158034.tif 000028
【図２７】
2015158034.tif 000029
【図２８】
2015158034.tif 000030
【図２９】
2015158034.tif 000031
【図３０】
2015158034.tif 000032
【図３１】
2015158034.tif 000033
【図３２】
2015158034.tif 000034
【図３３】
2015158034.tif 000035
【図３４】
2015158034.tif 000036
【図３５】
2015158034.tif 000037
【図３６】
2015158034.tif 000038
【図３７】
2015158034.tif 000039
【図３８】
2015158034.tif 000040
【図３９】
2015158034.tif 000041
【図４０】
2015158034.tif 000042
【図４１】
2015158034.tif 000043
【図４２】
2015158034.tif 000044
【図４３】
2015158034.tif 000045
【図４４】
2015158034.tif 000046
【図４５】
2015158034.tif 000047
【図４６】
2015158034.tif 000048
【図４７】
2015158034.tif 000049
【図４８】
2015158034.tif 000050
【図４９】
2015158034.tif 000051
【図５０】
2015158034.tif 000052
【図５１】
2015158034.tif 000053
【図５２】
2015158034.tif 000054
【図５３】
2015158034.tif 000055
【図５４】
2015158034.tif 000056
【図５５】
2015158034.tif 000057
【図５６】
2015158034.tif 000058
【図５７】
2015158034.tif 000059
【図５８】
2015158034.tif 000060
【図５９】
2015158034.tif 000061
【図６０】
2015158034.tif 000062
【図６１】
2015158034.tif 000063
【図６２】
2015158034.tif 000064
【図６３】
2015158034.tif 000065
【図６４】
2015158034.tif 000066
【図６５】
2015158034.tif 000067
【図６６】
2015158034.tif 000068
【図６７】
2015158034.tif 000069
【図６８】
2015158034.tif 000070
【図６９】
2015158034.tif 000071